(57)【要約】  ユーザー認証による、行動に基づく広告絞り込みおよびアドホック・マイクロコミュニティの作成の実施態様について説明する。一実施態様では、第三者ウェブサイトと関連のあるウェブページ上においてユーザーに認証情報を提出させる。例えば、ユーザーは、第三者ウェブサイトと提携していない電子メール・アカウントにユーザー名およびパスワードを入力することによって、自分自身の身元を確認することができる。次いで、認証情報は、ユーザーと関連のある個人アカウントにアクセスするために用いることができる。例えば、ユーザーと関連のある行動データを個人アカウントから収集し、ユーザーの特定的な挙動プロファイルに絞ったウェブページ上の広告を紹介するために用いることができる。あるいは、ユーザーには、個人アカウントにおける情報と相互作用する選択肢を提示することができる。例えば、ユーザーには、個人アカウントにおける知人連絡先リストのメンバーに、ウェブ・ページを訪問するように招待する機会を与えることができる。【選択図】図２
2010525493.tif 000002
【特許請求の範囲】
【請求項１】
第三者のウェブサイトを通じて、ユーザーに認証情報を提出させるステップ（４０２）と、
前記認証情報を用いて、ユーザーと関連のある個人アカウントにアクセスするステップ（４０４）と、
前記個人アカウントと関連のあるデータに基づいて、前記第三者のウェブサイト上でユーザーに情報を提示するステップ（５０４）と、
を備えている、方法。
【請求項２】
請求項１記載の方法において、提出させるステップは、前記第三者のウェブサイト上でユーザーに認証制御部を提示するステップを含む、方法。
【請求項３】
請求項１記載の方法において、アクセスするステップは、前記ユーザーと関連のある電子メール・アカウントから情報を読み出すステップを含む、方法。
【請求項４】
請求項１記載の方法において、提示するステップは、前記第三者のウェブサイト上においてプレゼンテーション制御部の中に広告を表示するステップを含み、前記広告は、前記個人アカウントと関連のある情報に基づいて、ユーザーに絞り込んである、方法。
【請求項５】
請求項１記載の方法において、提示するステップは、前記個人アカウントと関連のある情報をユーザーに見させるステップを含む、方法。
【請求項６】
請求項１記載の方法において、提示するステップは、ユーザーが前記個人アカウントと関連のある知人連絡先リストと相互作用することを可能にするステップを含む、方法。
【請求項７】
請求項６記載の方法において、可能にするステップは、
前記知人連絡先リスト上にある知人に、前記第三者のウェブサイトを訪問するように招待するステップと、
前記第三者のウェブサイト上にある情報を、前記知人連絡先リスト上の１つ以上の連絡先に送信するステップと、
前記知人連絡先リスト上にある連絡先の所在情報を提示するステップと、
の内１つ以上を含む、方法。
【請求項８】
請求項１記載の方法であって、更に、ユーザーが前記認証情報を提出した後に、ユーザーの行為に関するデータを収集し、このデータを前記個人アカウントと関連付けるステップを備えている、方法。
【請求項９】
１組のコンピュータ読み取り可能命令が備わっているコンピュータ読み取り可能媒体であって、前記コンピュータ読み取り可能命令を実行すると、
第三者のウェブサイト上においてユーザーが認証制御部にユーザーが入力した認証情報を受け入れ（４０２）、
前記認証情報を用いて、ユーザーと関連のある個人アカウントにアクセスし（４０４）、
前記個人アカウントと関連のある情報に基づいて、ユーザーを目標にした情報の前記第三者のウェブサイト上における提示を可能にする（４０６）こと、
を含む行為を実行する、コンピュータ読み取り可能媒体。
【請求項１０】
請求項９記載の１組のコンピュータ読み取り可能命令が備わっているコンピュータ読み取り可能媒体であって、前記コンピュータ読み取り可能命令を実行すると、更に、前記個人アカウントと関連のあるユーザー名およびパスワードを、前記第三者のウェブサイト上にある認証制御部にユーザーに入力させることを含む行為を実行する、コンピュータ読み取り可能媒体。
【請求項１１】
請求項９記載の１組のコンピュータ読み取り可能命令が備わっているコンピュータ読み取り可能媒体であって、前記コンピュータ読み取り可能命令を実行すると、更に、前記個人アカウントと関連のある情報に基づいて、前記第三者のウェブサイト上の広告をユーザーに対して絞り込むことを含む行為を実行する、コンピュータ読み取り可能媒体。
【請求項１２】
請求項１１記載の１組のコンピュータ読み取り可能命令が備わっているコンピュータ読み取り可能媒体であって、前記コンピュータ読み取り可能命令を実行すると、更に、前記第三者のウェブサイト上にある情報を、前記個人アカウント内にある知人連絡先リスト上の連絡先に、ユーザーに転送させることを含む行為を実行する、コンピュータ読み取り可能媒体。
【請求項１３】
請求項９記載の１組のコンピュータ読み取り可能命令が備わっているコンピュータ読み取り可能媒体であって、前記コンピュータ読み取り可能命令を実行すると、更に、前記個人アカウント内にある知人連絡先リスト上において、他のいずれのウェブサイトよりも、訪問している知人が多いウェブサイトを示すことを含む行為を実行する、コンピュータ読み取り可能媒体。
【請求項１４】
第三者のウェブサイト（１０４）と関連のあるウェブページ（１１０）上において、ユーザーが認証制御部（１１２）に入力した認証情報にアクセスするように構成されている認証モジュール（３１２）と、
プレゼンテーション・モジュール（３１６）と、
を備えている装置であって、前記プレゼンテーション・モジュール（３１６）が、
前記認証情報と関連のある個人アカウント（２１０）が存在するアカウント・ストレージ（１１６）にアクセスし、
前記認証情報に基づいて、前記個人アカウント（２１０）から情報にアクセスし、
前記ウェブページ（１１０）上の個人アカウント（２１０）に基づいて、情報を提示することによって、ユーザーを目標にするように構成されている、装置。
【請求項１５】
請求項１４記載の装置において、前記認証モジュールを、前記個人アカウントを制御するエンティティによって制御する、装置。
【請求項１６】
請求項１４記載の装置において、前記認証モジュールは、更に、前記ウェブページ上の認証制御部の中に１つ以上の欄を提示するように構成されており、前記１つ以上の欄が、ユーザーに前記認証情報を入力させるように構成されている、装置。
【請求項１７】
請求項１４記載の装置において、前記認証モジュールは、更に、ユーザーが認証情報を提供する代わりに、ユーザーに、前記第三者ウェブサイトとの機能性増大を提案するように構成されている、装置。
【請求項１８】
請求項１４記載の装置において、前記プレゼンテーション・モジュールは、更に、前記ユーザーとウェブページとの間における１つ以上の相互作用に関する情報を、前記個人アカウントを制御するエンティティに送信するように構成されている、装置。
【請求項１９】
請求項１８記載の装置において、前記プレゼンテーション・モジュールが提示する情報は、前記個人アカウントと関連のある情報を含む、装置。
【請求項２０】
請求項１４記載の装置において、前記プレゼンテーション・モジュールが提示する情報は、前記個人アカウントと関連のある情報に基づいて、ユーザーに絞り込んだ１つ以上の広告を含む、装置。
【発明の詳細な説明】
【背景技術】
【０００１】
広告をホストすることは、ウェブサイト所有者にとっては、特に広告を具体的にウェブページを見ている訪問者に絞り込むと、収益性の高い業務となる。例えば、ゴルフ用具を購入する確かな性向がある訪問者がニュース・ウェブページを訪問したときに、そのページにゴルフ用具の広告を提示することができる。同様に、同じウェブ・ページでも、不動産に確かな関心がある別の訪問者がページを訪問するときには、ローンおよび不動産サービスのような、住宅所有権(home ownership)関連製品およびサービスを特別に扱うことができる。場合によっては、広告を絞り込むと、広告を絞り込まない場合に対して、１０００％の価格割増を引き出すことができる。
【０００２】
ウェブサイトは、現在、訪問者のコンピュータ上に置かれているクッキーから少しずつ集めた情報の使用によって、訪問者に対する広告を絞り込むことができる。しかしながら、クッキーの利用は限定される。何故なら、クッキーは、特定のウェブサイトとの訪問者の過去の相互作用の記録を提供するに過ぎないからであり、多くの訪問者は彼らの機械上で慣例的にクッキーを消去するからである。また、多くの訪問者は、第１に、彼らの機械にクッキーを置くのを許可することを拒絶する。
【発明の概要】
【発明が解決しようとする課題】
【０００３】
ウェブページの訪問者に対して具体的に広告を絞り込むことに加えて、ウェブサイトの所有者は、追加の訪問者をウェブサイトに引き寄せることによって、ウェブサイト広告収益を高めることもできる。このように、ウェブサイト上の広告をより広い聴衆の潜在的顧客に紹介することができる。
【課題を解決するための手段】
【０００４】
ユーザー認証による、行動に基づく広告絞り込みおよびアドホック・マイクロコミュニティの作成の実施態様について説明する。一実施態様では、第三者ウェブサイトと関連のあるウェブページ上において認証情報をユーザーに提出させる。例えば、ユーザーは、第三者ウェブサイトと提携していない電子メール・アカウントにユーザー名およびパスワードを入力することによって、自分自身の身分を確認することができる。次いで、認証情報は、ユーザーと関連のある個人アカウントにアクセスするために用いることができる。例えば、ユーザーと関連のある行動データを個人アカウントから収集し、ユーザーの特定的な挙動素描に絞ったウェブページ上の広告を紹介するために用いることができる。
【０００５】
あるいは、ユーザーには、個人アカウントにおける情報と相互作用する選択肢を提示することができる。例えば、ユーザーには、個人アカウントにおける知人連絡先リストのメンバーに、ウェブ・ページを訪問するように招待する機会を与えることができる。別の可能な実施態様では、ユーザーには、ファイルを、ウェブ・ページに対する個人アカウントに、および／または個人アカウントからロードする機会を与えてもよい。
【０００６】
この摘要は、詳細な説明において以下で更に説明する概念から選択したものを、簡略化して提示する。この摘要は、特許請求する主題の鍵となる特徴や必須の特徴を特定することを意図するのでなければ、特許請求する主題の範囲を判断する際に補助として用いられることを意図するのでもない。
【図面の簡単な説明】
【０００７】
添付図面を参照しながら、詳細な説明を記載する。図において、参照番号の一番左側の数字は、参照番号が最初に現れる図を特定する。異なる図における同じ参照番号の使用は、同様または同一の項目を示す。
【図１】図１は、ユーザー認証による、行動に基づく広告絞り込みおよびアドホック・マイクロコミュニティの作成を実現することができる環境例を示す。
【図２】図２は、プレゼンテーション・サーバーの一例を示す。
【図３】図３は、アカウント・ストレージの一例を示す。
【図４】図４は、第三者ウェブサイト上における、ユーザー認証による、行動に基づく広告絞り込みおよびアドホック・マイクロコミュニティの作成のプロセス例を示す。
【図５】図５は、第三者ウェブサイト上における、ユーザー認証によるアドホック・マイクロコミュニティ作成のプロセス例を示す。
【発明を実施するための形態】
【０００８】
本開示は、ユーザー認証による、行動に基づく広告絞り込みおよびアドホック・マイクロコミュニティの作成を実現するための装置および技法を対象とする。更に特定すれば、本明細書に記載する装置および技法は、第三者のウェブサイトと関連のあるウェブページ上に、既存の個人アカウントと関連のある認証情報を、ユーザーに入力させることを伴う。次いで、個人アカウントに関連のあるデータにアクセスし、ウェブページ上で情報を絞り込んでユーザーに提示するために用いることができる。
【０００９】
例えば、個人アカウントと関連のあるデータにおいて示唆されるユーザーの行動的特徴に合わせて広告を絞り込み、ウェブページ上でユーザーに紹介することができる。同様に、ユーザーには、個人アカウントにおけるデータと相互作用を行う選択肢を与えることができる。例えば、ユーザーが個人アカウントにおける知人連絡先リストにアクセスし、知人連絡先リストにおいて選択したエントリに、ウェブページからの情報を送ることを可能にすることもできる。更に、ユーザーが、画像ファイルのような、個人アカウントの中にあるファイルにアクセスし、ファイルをウェブページにそしてウェブページからダウンロードすることを可能にすることもできる。
環境例
【００１０】
図１は、ユーザー認証による、行動に基づく広告絞り込みおよびアドホック・マイクロコミュニティの作成を実現するのに適した環境例１００を示す。環境１００は、ネットワーク１０６を通じて第三者ウェブサイト１０４にアクセスするように構成されているアクセス・デバイス１０２を含む。アクセス・デバイス１０２は、種々の計算主体デバイスを含むことができ、例えば、サーバー、ゲーム・コンソール、デスクトップＰＣ、ノートブックまたは携帯用コンピュータ、ワークステーション、メインフレーム・コンピュータ、インターネット機器、移動体電話等が含まれる。
【００１１】
同様に、ネットワーク１０６は、第三者ウェブサイト１０４のような、ウェブサイトへのアクセスをアクセス・デバイス１０２が取得することを可能にするように構成されている種々のデバイスを含むことができる。ネットワーク１０６は、ワイヤラインおよび／またはワイヤレス・ネットワーク、あるいはインターネットを含むその他のあらゆる電子結合手段を含むことができる。可能な一実施態様では、アクセス・デバイス１０２は、ネットワーク・サーバーを介してネットワーク１０６に結合されている。このような実施態様では、ネットワーク・サーバーは、アクセス・デバイス１０２とネットワーク１０６との間における通信を促進するように構成されているのであれば、いずれの計算主体デバイスでも含むことができる。例えば、ネットワーク・サーバーは、専用サーバー、デスクトップＰＣ、ノートブックまたは携帯用コンピュータ、ワークステーション、メインフレーム・コンピュータ等を含むことができる。
【００１２】
また、環境１００は、アクセス・デバイス１０２と相互作用を行うユーザーが、第三者ウェブサイト１０４と関連のあるウェブページ１１０を見ながら、彼自身の身元を証明することを可能にするように構成されているプレゼンテーション・サーバー１０８も含む。プレゼンテーション・サーバー１０８は、種々の計算主体デバイスを含むことができ、専用サーバー、デスクトップＰＣ、ノートブックまたは携帯用コンピュータ、ワークステーション、メインフレーム・コンピュータ等を含む。更に、プレゼンテーション・サーバー１０８は、ワイヤライン結合、ワイヤレス結合、あるいは当技術分野において周知の他のいずれの結合を通じてでも、ネットワーク１０６に結合することができる。プレゼンテーション・サーバー１０８の構成および機能については、以下で図３を参照しながら更に詳細に論ずることにする。
【００１３】
アクセス・デバイス１０２を用いると、ユーザーは、ウェブページ１１０上にある種々のメディア・コンテンツにアクセスすることができる。メディア・コンテンツには、グラフィック・コンテンツ、オーディオ・コンテンツ、およびビデオ・コンテンツが含まれる。ウェブページ１１０は、ニュース・サイト、ネットワーキング・サイト、会社のウェブページ等のように、インターネット上で見られる公衆および個人ページを含むことができる。
【００１４】
また、ウェブページ１１０は、認証制御部１１２、およびプレゼンテーション制御部１１４を含むことができる。実施態様の一例では、ウェブページ１１０を閲覧しているユーザーに、ユーザーと関連のある個人アカウントについての認証情報を認証制御部１１２に入力することによって、彼自身の身元を証明する機会を提示することができる。個人アカウントは、電子メール・アカウント、インスタント・メッセージング・アカウント、オンライン購入アカウント等のような、ユーザーと関連のあるアカウントであればいずれでも含むことができる。
【００１５】
認証制御部１１２は、ウェブページ１１０上の固定部分とすることができ、匿名ＩＤ（ＡＮＩＤ）、ユーザー名、パスワード等のような個人識別情報をユーザーが入力することができる欄を有する。あるいは、認証制御部１１２は、ウェブページ１１０を閲覧しているユーザーに提示するポップ・アップ・ウィンドウとすることもできる。
【００１６】
一実施態様では、認証制御部１１２は、プレゼンテーション・サーバー１０８によって制御することができ、第三者のウェブサイト１０４およびウェブページ１１０は、認証制御部１１２に対する制御、あるいは認証制御部１１２において提示される情報またはここに入力される情報へのアクセスは行わない。更に、「個人情報」および「認証情報」という用語は、ユーザーがユーザー自身の身元を証明するために提出することができる情報であればいずれでも意味するために、相互交換可能に用いることができることは言うまでもない。
【００１７】
一旦ユーザーの個人情報がウェブページ１１０を通じて提出されたなら、プレゼンテーション・サーバー１０８はこの個人情報を用いて、アカウント・ストレージ１１６上に格納されているユーザーと関連のある個人アカウントにアクセスすることができる。アカウント・ストレージ１１６は、個人アカウントに関連のある種々の情報を含むことができ、認証情報、ユーザーが入力した個人情報、および個人アカウントに関連のあるユーザーの以前の行為が含まれる。アカウント・ストレージ１１６は、コンピュータ読み取り可能データおよび／または命令を格納できるデバイスであればいずれでも含むことができる。例えば、アカウント・ストレージ１１６は、種々の計算主体デバイスを含むことができ、例えば、サーバー、ワークステーション、メインフレーム・コンピュータ等が含まれる。アカウント・ストレージ１１６は、ワイヤライン結合、ワイヤレス結合、または当技術分野において周知の他のいずれの結合を通じてでも、ネットワーク１０６に結合することができる。更に、アカウント・ストレージ１１６をプレゼンテーション・サーバー１０８に直接結合することもできる。アカウント・ストレージ１１６上に格納することができる個人アカウントに関連のある情報のタイプを含む、アカウント・ストレージ１１６の構成および機能については、以下で図２と関連付けて更に詳細に論ずることにする。
【００１８】
一旦アカウント・ストレージ１１６上にあるユーザーの個人アカウントにアクセスしたなら、プレゼンテーション・サーバー１０８は、ユーザーの個人アカウントからの情報を用いて、絞り込んだ情報を、ウェブページ１１０上のプレゼンテーション制御部１１４においてユーザーに表示することができる。プレゼンテーション制御部１１４は、プレゼンテーション・サーバー１０８の制御下にあるウェブページ１１０の部分を含むことができる。一実施態様では、第三者のウェブサイト１０４は、プレゼンテーション制御部１１４に対する制御、あるいはプレゼンテーション制御部１１４に提示される情報へのアクセスは行わない。
【００１９】
情報を絞り込んでウェブページ１１０上でユーザーに提示することにより、ユーザーに合わせて特化した操作工程(experience)を創造することができ、ウェブサイト１１０を一層快適かつ魅力的にすることができる。これによって、ユーザーがウェブサイト１１０に滞在する時間が長くなり、ウェブサイト１１０に繰り返し訪問する気にさせることができる。
【００２０】
一実施態様では、ユーザーの行動的特徴に絞り込んだ広告は、プレゼンテーション制御部１１４において、ユーザーに提示することができる。このような広告は対話型とすることができるので、当該広告上でユーザーがクリックすると、その広告に関するより多くの情報にユーザーを導くことができる。例えば、ウェブページ１１０上である広告を選択すると、ブラウザの新しいインスタンスを開くことができ、広告に関連がある新たなウェブページをブラウザの中に表示することができる。あるいは、広告と関連のあるウェブページを、例えば、ユーザーが用いているオープン・ウェブ・ブラウザにロードし、ウェブページ１１０に取って代わることができる。
【００２１】
加えて、一旦アカウント・ストレージ１６０上にあるユーザーの個人アカウントにアクセスしたなら、プレゼンテーション・サーバー１０８は、プレゼンテーション制御部１１４の中にある種々のプレゼンテーションを通じて、個人アカウントの中にあるデータと相互作用を行う１つ以上の機会をユーザーに提供することができる。例えば、ユーザーは、彼の個人アカウントにおける知人連絡先リストと相互作用を行うことを選択することができる。知人連絡先リストの例には、住所録、バディ・リスト(buddy list)等が含まれる。
【００２２】
知人連絡先リストは、当該知人連絡先リストと関連のある種々の情報と共に、プレゼンテーション制御部１１４に表示することができる。種々の情報には、知人連絡先リストにおけるエンティティ(entity)の所在(presence)情報、およびエンティティの種々の活動を示すマーカが含まれる。このようなマーカの１つに、知人連絡先リストにおける所与のエンティティが、彼らと関連のある情報を更新したことを示すマーカを含むことができる。例えば、このマーカは、エンティティと関連のあるウェブログを更新したこと、または連絡先が、画像ファイルのような新たな情報を、彼らと関連のあるウェブサイト上に公開したことを示すことができる。
【００２３】
このように、ユーザーは、彼の知人連絡先リストにおける全てのエンティティのステータスを見ること、ならびに彼の個人アカウントの中にある他の情報を見ることおよび／またはこれと相互作用を行うことができる。可能な一実施態様では、ユーザーは彼の知人連絡先リストをプレゼンテーション制御部１１４において見ることができ、彼の知人連絡先リストにおいて選択したエンティティに、ウェブサイト１１０を訪問するように招待することができる。あるいは、別の可能な実施態様では、ユーザーは、プレゼンテーション制御部１１４に提示される知人連絡先リストと相互作用を行い、単にエンティティを選択し、コンテンツへのリンクを送る、またはコンテンツを電子メールの中で送るというように、いくつかの可能な活動の１つを選択することによって、彼の知人連絡先リストにおいて選択したエンティティにコンテンツを送ることができる。
【００２４】
このように、ユーザーは個人アカウントの中にあるデータと相互作用を行い、アカウントからウェブページ１１０にそしてウェブページ１１０からアカウントにデータをロードすることができる。一実施態様では、プレゼンテーション制御部１１４においてユーザーに提供することができる、個人アカウントにおけるデータとの相互作用の種類を、プレゼンテーション・サーバー１０８に予めプログラミングしておくことができる。別の実施態様では、ユーザーと個人アカウントとの間における相互作用の種類は、ユーザーと関連のある個人アカウントの種類、ウェブサイト１０４と個人アカウントを管理またはホストするエンティティとの間の関係というような、種々の要因に依存することができる。
【００２５】
尚、第三者のウェブページ１０４は、ユーザーによって直接制御されないあらゆるウェブサイト、あるいはユーザーの個人アカウントを管理するエンティティまたはホストするエンティティを含むことができることは言うまでもない。例えば、第三者のウェブページ１０４は、ユーザーと連携していないニュース・ウェブサイト、またはユーザーによって用いられる電子メール・アカウントを含むことができる。同様に、第三者のウェブサイト１０４は、ユーザーまたはユーザーと関連のあるインスタント・メッセージング・アカウントを管理するエンティティのいずれの制御下にもない、ＭＰ３ファイルを販売するサイトのような、娯楽サイトを含むこともできる。
アカウント・ストレージの例
【００２６】
図２は、ユーザー認証による、行動に基づく広告絞り込みおよびアドホック・マイクロコミュニティの作成の一実施形態によるアカウント・ストレージ１１６の種々のコンポーネントを示す。アカウント・ストレージ１１６は、１つ以上のプロセッサー（群）２００、メモリー２０２、入力／出力（Ｉ／Ｏ）デバイス２０４（例えば、キーボード、ディスプレイ、およびマウス）、およびアカウント・ストレージ１１６の種々のコンポーネントを動作的に結合するシステム・バス２０６を含むことができる。
【００２７】
システム・バス２０６は、様々な種類のバス構造の内任意のものを表し、メモリー・バスまたはメモリー・コントローラ、周辺バス、加速グラフィクス・ポート、および種々のバス・アーキテクチャのいずれかを用いたプロセッサーバースまたはローカル・バスが含まれる。一例として、このようなアーキテクチャは、業界標準アーキテクチャ（ＩＳＡ）バス、マイクロ・チャネル・アーキテクチャ（ＭＣＡ）バス、拡張ＩＳＡ（ＥＩＳＡ）バス、ビデオ・エレクトロニクス標準連合（ＶＥＳＡ）ローカル・バス、メッツアニーネ・バス(mezzanine bus)としても知られている周辺素子相互接続（ＰＣＩ）バス、ＰＣＩエクスプレス・バス、ユニバーサル・シリアル・バス（ＵＳＢ）、セキュア・ディジタル（ＳＤ）バス、およびＩＥＥＥ１３９４（即ち、FireWire）バスが含まれる。
【００２８】
メモリー２０２は、ＲＡＭのような揮発性メモリー、および／またはＲＯＭまたはフラッシュＲＡＭのような不揮発性メモリーの形態としたコンピュータ読み取り可能媒体を含むことができる。また、メモリー２０２は、ユーザー認証による、行動に基づく広告絞り込みおよびアドホック・マイクロコミュニティの作成を実現するためのデータおよびプログラム・モジュールも含むことができ、これらはプロセッサー（群）２００には直ちにアクセス可能であり、現在これらによって動作している。
【００２９】
メモリー２０２は、更に、データ２０８も含むことができる。データ２０８は、１つ以上の個人アカウント２１０を含むことができ、各個人アカウント２１０は、知人連絡先リスト２１２、サイコグラフィック情報２１４、認証情報２１６、ユーザー個人識別情報２１８、および個人アカウント２１０と関連のある種々のその他のユーザー・データ２２０のような情報を含む。
【００３０】
アカウント・ストレージ１１６は１つのデバイスとして図示されているが、アカウント・ストレージ１１６は数個のデバイスを含むことができることは言うまでもない。例えば、アカウント・ストレージ１１６上にあるエレメントは数個のデバイスに跨って存在してもよい。加えて、アカウント・ストレージ１１６上にあるエレメントは、異なる時点では異なるデバイス上に存在してもよい。更に、アカウント・ストレージ１１６上にあるプログラムは、ソフトウェア、ファームウェア、または当技術分野において周知のその他のあらゆるコンピュータ読み取り可能命令で実装することもできる。
【００３１】
一実施態様では、個人アカウント２１０は、ユーザーと関連があるのであればいずれのアカウントでも含むことができる。これは、電子メール・アカウント、インスタント・メッセージング・アカウント、オンライン購入を行うために用いられるアカウント、ユーザーがある種のコンテンツを見ることができるように構成されているアカウント等を含むことができる。知人連絡先リスト２１２は、友人、同僚、ならびに個人アカウント２１０と関連のあるユーザーが相互作用を行う可能性があるその他の個人およびエンティティのような連絡先に関する情報を含むことができる。知人連絡先リスト２１２に格納される情報は、連絡先個人情報、連絡先電話番号、連絡先電子メール・アドレス等のような情報を含むことができる。
【００３２】
個人アカウント２１０は、ユーザーの過去の挙動に関するサイコグラフィック情報２１４も含むことができる。この情報は、ユーザーが訪問したサイト、ユーザーが行った検索、ユーザーが読んだ記事、サイトにおける滞在期間（言い換えると、停留時間）、ユーザーの購入履歴、ユーザーのダウンロード履歴に関する生のデータ、およびユーザーが個人アカウント２１０を用いてサイン・インしている間またはそれ以外で相互作用している間にユーザーの性癖に関して収集したその他のあらゆる情報を含むことができる。この情報は、ユーザーが個人アカウント２１０を管理するエンティティと関連のある１つ以上のウェブサイトと相互作用を行っている間にアクセス・デバイス１０２上に置かれたクッキーから少しずつ集めた情報を含むことができる。
【００３３】
サイコグラフィック情報２１４は、ユーザーが個人アカウント２１０を用いてサイン・インしている間またはそれ以外で相互作用している間にユーザーの挙動と関連のある生データを処理することによって少しずつ集めた情報も含むことができる。これは、ユーザーの挙動特性、および生データから少しずつ集めたユーザーの素描を含むことができる。
【００３４】
図２は、サイコグラフィック情報２１４がアカウント・ストレージ１１６上にある個人アカウント２１０の中に位置するように示すが、サイコグラフィック情報２１４は他のデバイス上に位置することができることも言うまでもない。例えば、サイコグラフィック情報２１４は、プレゼンテーション・サーバー１０８のような、１つ以上のサーバー上に位置することができる。
【００３５】
認証情報２１６は、ユーザーが個人アカウント２１０との彼の関係を確立するために用いる情報であればいずれでも含むことができる。例えば、認証情報２１６は、ユーザー名、パスワード等を含むことができる。
【００３６】
ユーザー個人識別情報２１８は、ユーザーの個人情報と関連のある情報を含むことができる。一実施態様では、ユーザー個人識別情報２１８は、ユーザーまたはその他エンティティによって入力することができ、および／またはユーザー個人識別情報２１８は自動的に発生することができる。例えば、個人アカウントを作成または更新するとき、ユーザーは、彼の名前、住所、婚姻に関する現状、趣味、関心のある連絡先情報（電話番号および電子メール・アドレス等）、年齢、職業、性別、宗教、民族等のような情報を、個人アカウント２１０に入力することができる。図２ではサイコグラフィック情報２１４とは別個であるように図示しているが、ユーザー個人識別情報２１８は、サイコグラフィック情報２１４の一部であってもよいことは言うまでもない。
【００３７】
他の個人データ２２０は、個人アカウント２１０に保存したデータであれば他のいずれでも含むことができる。例えば、他の個人データ２２０は、個人アカウント２１０に保存されている画像ファイル、テキスト・ファイル、ウェブサイト・ブックマーク、カレンダ、実行予定(to do)リスト等のようなファイルを含むことができる。
プレゼンテーション・サーバーの例
【００３８】
図３は、ユーザー認証による、行動に基づく広告絞り込みおよびアドホック・マクロコミュニティの作成の一実施形態によるプレゼンテーション・サーバー１０８の種々のコンポーネントを示す。プレゼンテーション・サーバー１０８は、１つ以上のプロセッサー（群）３００、メモリー３０２、入力／出力（Ｉ／Ｏ）デバイス３０４（例えば、キーボード、ディスプレイ、およびマウス）、およびプレゼンテーション・サーバー１０８の種々のコンポーネントを動作的に結合するシステム・バス３０６を含むことができる。
【００３９】
システム・バス３０６は、様々な種類のバス構造の内任意のものを表し、メモリー・バスまたはメモリー・コントローラ、周辺バス、加速グラフィクス・ポート、および種々のバス・アーキテクチャのいずれかを用いたプロセッサーバースまたはローカル・バスが含まれる。一例として、このようなアーキテクチャは、業界標準アーキテクチャ（ＩＳＡ）バス、マイクロ・チャネル・アーキテクチャ（ＭＣＡ）バス、拡張ＩＳＡ（ＥＩＳＡ）バス、ビデオ・エレクトロニクス標準連合（ＶＥＳＡ）ローカル・バス、メッツアニーネ・バス(mezzanine bus)としても知られている周辺素子相互接続（ＰＣＩ）バス、ＰＣＩエクスプレス・バス、ユニバーサル・シリアル・バス（ＵＳＢ）、セキュア・ディジタル（ＳＤ）バス、およびＩＥＥＥ１３９４（即ち、FireWire）バスが含まれる。
【００４０】
メモリー３０２は、ＲＡＭのような揮発性メモリー、および／またはＲＯＭまたはフラッシュＲＡＭのような不揮発性メモリーの形態としたコンピュータ読み取り可能媒体を含むことができる。また、メモリー３０２は、ユーザー認証による、行動に基づく広告絞り込みおよびアドホック・マイクロコミュニティの作成を実現するためのデータおよびプログラム・モジュールも含むことができ、これらはプロセッサー（群）３００には直ちにアクセス可能であり、現在これらによって動作している。
【００４１】
メモリー３０２は、プログラム３０８およびデータ３１０を含むことができる。プログラム３０８は、認証モジュール３１２、接続モジュール３１４、プレゼンテーション・モジュール３１６、およびその他のプログラム３１８を含むことができる。データ３１０は、ユーザー認証による、行動に基づく広告絞り込みおよびアドホック・マイクロコミュニティの作成を実現するのに有用となり得るデータであればいずれでも含むことができ、特定のウェブサイトで用いる方針、およびその他のデータが含まれる。
【００４２】
プレゼンテーション・サーバー１０８は１つのデバイスとして図示されているが、プレゼンテーション・サーバー１０８は数個のデバイスを含むことができることは言うまでもない。例えば、プレゼンテーション・サーバー１０８上にあるエレメントは数個のデバイスに跨って存在してもよい。加えて、プレゼンテーション・サーバー１０８上にあるエレメントは、異なる時点では異なるデバイス上に存在してもよい。更に、プレゼンテーション・サーバー１０８上にあるプログラム３０８は、ソフトウェア、ファームウェア、当技術分野において周知のその他のあらゆるコンピュータ読み取り可能命令、またはその任意の組み合わせで実装することもできる。
【００４３】
一実施態様では、接続モジュール３１４は、プレゼンテーション・サーバー１０８をウェブサイト１１０に、ネットワーク１０６およびウェブサイト１０４を通じて結合することができる。接続モジュール３１４は、ウェブページ１１０のような１つ以上のウェブページのアドレスを含むことができ、プレゼンテーション・サーバー１０８は、ウェブページ１１０上において、１つ以上の認証制御部１１２およびプレゼンテーション制御部１１４の中に情報を表示することができる。
【００４４】
一旦ウェブページ１１０との結合を確立したなら、プレゼンテーション・モジュール３１６は、１つ以上の認証制御部１１２およびプレゼンテーション制御部１１４において提示しようとする情報を送信することができる。例えば、ウェブページ１１０にアクセスするユーザーが彼自身の身元を証明する前に、プレゼンテーション・モジュール３１６は、認証制御部１１２において彼自身の身元を証明するために、ユーザーに対する誘導を提示することができる。この誘導は、テキスト、グラフィクス、ならびにオーディオおよびビデオ・プレゼンテーションを含むメディア・コンテンツを含むことができる。
【００４５】
また、誘導は、ユーザーが彼自身の身元を証明した場合にユーザーに与えられる恩恵に関する情報も含むことができる。例えば、プレゼンテーション・モジュール３１６は、ユーザーと関連のある電子メール・アカウントのような個人アカウント２１０にサイン・インすることをユーザーに勧め、ユーザーがウェブサイト１１０上のコンテンツを、知人連絡先リスト２１２における１つ以上の連絡先に素早く電子メールで送信できるようにすることができる。同様に、プレゼンテーション・モジュール３１６は、ユーザーと関連のあるウェブ・アカウントにサイン・インすることをユーザーに勧め、画像、オーディオ、および／またはビデオ・ファイルのような、ウェブ・アカウントへのファイルまたはウェブ・アカウントからのファイルを、ユーザーがウェブサイト１１０にロードできるようにすることができる。
【００４６】
別の可能な実施態様では、プレゼンテーション・モジュール３１６は、ユーザーと関連のある個人アカウント２１０にサイン・インするようにユーザーを誘導し、ユーザーが知人(contact)にウェブサイト１１０を訪問するように誘導したり、あるいは単にユーザーがウェブサイト１１０上にいることを知人に知らせることができるようにすることができる。
【００４７】
プレゼンテーション・モジュール３１６は、種々のユーザー相互作用ツールを認証制御部１１２の中に維持することができ、ユーザーが彼らの個人情報を入力することを可能にする。一実施形態では、プレゼンテーション・モジュール３１６は、１つ以上の欄を認証制御部１１２の中に提示して、その中に、ユーザーと関連のある１つ以上の個人アカウントに対応するユーザー名、パスワード、等のような許可情報をユーザーが入力することができる。
【００４８】
一旦ユーザーが許可情報を入力したなら、認証モジュール３１２は許可情報を用いてユーザーの個人アカウント２１０にアクセスすることができる。一旦個人アカウント２１０にアクセスしたなら、個人アカウント２１０と関連のある種々の情報にアクセスすることができる。これには、ユーザーが個人アカウント２１０にサイン・インしていた間、またはユーザーがそれ以外で個人アカウント２１０を用いていた間に、ユーザーが個人アカウント２１０に入力した情報、ならびに種々のウェブサイト、ウェブページ、およびその他のエンティティとのユーザーの相互作用と関連のある情報が含まれる。個人アカウントの中にある情報は、ウェブページ１１０上で、ユーザーを目標とした情報を提示するために用いることができる。ユーザーを目標とした情報は、プレゼンテーション制御部１１４および／または認証制御部１１２の中に、プレゼンテーション・モジュール３１６によって提示することができる。
行動に基づく広告絞り込み
【００４９】
一実施態様では、プレゼンテーション・サーバー１０８は、個人アカウント２１０における情報に基づいて、広告の形態で、絞り込んだ情報をユーザーに提示することができる。例えば、プレゼンテーション・モジュール３１６は、ユーザーと関連のあるサイコグラフィック情報２１４に個人アカウント２１０からアクセスすることができる。この情報は、ウェブページ１１０上で広告をユーザーに絞り込むために用いることができる。
【００５０】
例えば、ユーザーが混合武術を専門に扱うサイトに頻繁に訪問していたことを、個人アカウント２１０におけるサイコグラフィック情報２１４が示す場合、プレゼンテーション・モジュール３１６はボクシング用グローブや混合武術のトレーニングにおいて用いられるその他の器具を宣伝する広告を、ウェブページ１１０上のプレゼンテーション制御部１１４に表示することができる。同様に、個人アカウント２１０におけるサイコグラフィック情報２１４が、特定のスポーツ・チームと関連のあるサイトへの頻繁な訪問および／または相互作用を示す場合、プレゼンテーション・モジュール３１６は、所与のスポーツ・チームに合わせた衣類に特化したオンライン・ストアの広告を、プレゼンテーション制御部１１４に表示することができる。
アドホック・マイクロコミュニティの作成
【００５１】
別の可能な実施態様では、プレゼンテーション・サーバー１０８は、１つ以上のマイクロコミュニティを形成することができるように、個人アカウント２１０の中にある情報に基づいて、絞り込んだ情報をユーザーに提示することができる。例えば、前述のように、知人連絡先リスト２１２のような、個人アカウント２１０からの情報、ユーザー個人識別情報２１８、およびその他の個人データ２２０を、プレゼンテーション制御部１１４においてユーザーに提示することもできる。このように、ユーザーは、プレゼンテーション制御部１１４を通じて、個人アカウント２１０の中にある情報と相互作用を行うこともできる。加えて、個人アカウント２１０からの情報は、認証制御部１１２における場合と同様に、ユーザーに提示してもよいことも言うまでもない。
【００５２】
一実施態様では、個人アカウント２１０と関連のあるポイントに関する情報を、プレゼンテーション制御部１１４および／または認証制御部１１２においてユーザーに提示することができる。例えば、個人アカウント２１０を管理するエンティティから獲得または購入したポイントに、ユーザーがプレゼンテーション制御部１１４および／または認証制御部１１２を通じてアクセスすることができる。更に、ポイントは、他のユーザーと交換したり、あるいはウェブページ１１０上でユーザーに紹介された広告と相互作用を行った後にユーザーが移動したウェブページ１１０および／またはウェブサイトから商品およびサービスを購入するために用いることができる。
【００５３】
別の可能な実施態様では、電子メール・アカウントまたはインスタント・メッセージング・アカウントからの知人連絡先リスト２１２を、認証制御部１１２および／またはプレゼンテーション制御部１１４においてユーザーに提示することができる。知人の名前に加えて、種々のウェブ制御部を含む、知人に関して入手可能なその他のいずれの情報でも表示することができる。例えば、知人がサイン・インしたか否かを示す、所在情報、および知人が行っていること（例えば、音楽を聞いている、ウェブサイトを訪問している等）を示す活動情報を表示することができる。
【００５４】
実施態様の一例では、活動情報は、知人が聞いている歌の歌手および曲名のような、詳細情報を含むことができる。同様に、活動情報は、知人が見ているウェブサイトのアドレス、ならびにウェブページ上にある記事の見出し、およびウェブページ上にあるコンテンツの著者のような、見ている個々のウェブページ上にあるコンテンツに関する情報を含むことができる。
【００５５】
また、活動情報は、知人と関連のある情報の最近の補正または入力を報告する、グリーム(gleam)のようなインディケータを含むこともできる。例えば、知人連絡先リストにおいて知人の名前の脇にグリームが位置付けられると、その知人に関連のある住所情報が変更したことを示すことができる。同様に、グリームは、知人と関連のあるブログまたはその他のウェブサイトが更新されたことも示すことができる。
【００５６】
実施態様の一例では、ユーザーは、知人連絡先リスト２１２上の知人に、ウェブサイト１１０の閲覧に加わるように招待することができる。例えば、認証制御部１１２および／またはプレゼンテーション制御部１１４において、ユーザーが招待を伝達したい知人を選択するように、自動的にユーザーに促すことができる。招待は、例えば、プレゼンテーション・サーバー１０８によって、電子メールまたはインスタント・メッセージの形態で、選択した知人に送り、ウェブサイト１１０を閲覧するようにその知人を誘導することができる。あるいは、知人連絡先リスト２１２上の知人に、ウェブサイト１１０のアドレスをリンクとして、それぞれの知人連絡先リスト上におけるユーザーの個人情報の隣に提示することができる。
【００５７】
知人連絡先リスト２１２上の知人が招待を受け入れることを決定した場合、彼らはウェブサイト１１０にアクセスし、ユーザーと、そして互いに種々の方法で相互作用を行うことができる。例えば、認証制御部１１２および／またはプレゼンテーション制御部１１４に、インスタント・メッセージング用の欄を提示して、知人およびユーザーがインスタント・メッセージを通じて通信することを可能にすることができる。同様に、知人およびユーザーがウェブページ上にコメントを残すことを許可し、認証制御部１１２および／またはプレゼンテーション制御部１１４において読むことができるようにしてもよい。別の可能な実施態様では、認証制御部１１２およびプレゼンテーション制御部１１４の外側において、ウェブサイト１１０の別のエリアにインスタント・メッセージおよびコメントを置いてもよい。
【００５８】
また、ユーザーおよび知人は、ウェブページ１１０上（認証制御部１１２およびプレゼンテーション制御部１１４においてというように）の情報にアクセスする招待を張り付けることによって、テキスト・ファイル、画像ファイル、ビデオ・ファイルのようなその他の情報を共有することもできる。一実施態様では、ユーザーまたは知人の一人が、共有のために提供されているファイルを受け入れることを決定した場合、提供者に対応する個人アカウント２１０からファイルを読み出し、受信者の個人アカウント２１０に送信することができる。実施態様の一例では、ファイルはプレゼンテーション・モジュール３１６によって読み出して送信することができる。
【００５９】
更に別の可能な実施態様では、ユーザーおよび彼の知人はバーのはしご(bar hopping)に参加することができる。例えば、知人連絡先リスト２１２と関連のある所在情報を見ることによって、ユーザーは彼の知人がウェブページ１１０（およびその他のウェブページ）上のどこにいるのか確認することができる。望ましいのであれば、ユーザーは、彼の知人の一人以上が見ているウェブページにアクセスすることができる。更に、ユーザーは、前述のように、ブログ作成(blogging)またはインスタント・メッセージングによって、ウェブページ上で彼の知人と相互作用を開始することもできる。同様に、知人は、ユーザーと関連のある所在情報を彼らの知人連絡先リスト上で見ることによって、ユーザーに合流することができる。このように、ユーザーおよび彼の知人は多数のウェブページを跨いで自由にナビゲートすることができる。
【００６０】
一実施態様では、ユーザーに最も活気のある場所を紹介することができる。これは、他のいずれのウェブページよりも多くの彼の知人が訪問しているウェブページを含むことができる。最も活気のある場所は、認証制御部１１２および／またはプレゼンテーション制御部１１４の中のように、ウェブページ１１０上における別個の欄でユーザーに紹介することができる。あるいは、最も活気のある場所は、知人連絡先リスト２１２上の所在情報における特殊な強調によって示すこともできる。
【００６１】
また、ユーザーには、１つ以上の許可制御部の使用を通じて、彼の個人アカウント（群）２１０と相互作用する際の快適度を選択する機会を与えることもできる。許可制御部は、プレゼンテーション・サーバー１０８を管理するエンティティに開示することができる情報の種類、またはユーザーがある種の選択肢を選択した場合に、知人連絡先リスト２１２における知人を含む、種々のエンティティと、個人アカウント２１０からの情報の内どれを共有することができるかを記述するプロンプト(prompt)を含むことができる。あるいは、許可制御部は、単に、知人連絡先リストにおける連絡先に情報を送る等というように、ユーザーがある種の行為を完了したいことを確認することもできる。
【００６２】
また、どの種類の情報をユーザーに対して絞り込むかには関係なく、それが絞り込んだ広告であるか、ユーザーの個人アカウント２１０からの情報であるか、または双方であるかには関係なく、一旦ユーザーが彼の個人情報をプレゼンテーション・サーバー１０８に提供したなら、ユーザーのウェブページ１１０との相互作用を監視し格納することができる。更に、ユーザーの広告またはウェブサイトからの更に別のナビゲーションとの相互作用も追跡し格納することができる。次いで、この情報をサイコグラフィック情報２１４に格納し、ユーザーの挙動に関してそこに格納されているデータを豊富にすることができる。
方法例
【００６３】
図４および図５は、ユーザー認証による、行動に基づく広告絞り込みおよびアドホック・マイクロコミュニティの作成の態様を実現する方法例を示す。本方法は、論理フロー・グラフにおけるブロックの集合体として示されており、ハードウェア、ソフトウェア、ファームウェア等、またはそのあらゆる組み合わせで実現することができる、一連の動作を表す。本方法を記載する順序は、限定として解釈されることは意図しておらず、記載する方法ブロックは、いくつでもそしていずれの順序でも組み合わせて、本方法または代替方法を実現することができる。加えて、個々のブロックは、本明細書に記載する主題の主旨および範囲から逸脱することなく、本方法から削除してもよい。ソフトウェアの文脈では、ブロックはコンピュータ命令を表すことができ、１つ以上のプロセッサーによって実行すると、明記する動作を行う。更に、論述の目的のため、そして限定の目的ではなく、本方法から選択した態様を、図１から図３において示したエレメントを参照しながら説明することもできる。
方法例Ｉ
【００６４】
図４は、ユーザー認証による、行動に基づく広告絞り込みおよびアドホック・コミュニティの作成の態様を実現する方法例４００を示す。ブロック４０２において、ウェブページ１１０のような、第三者のウェブページと関連のあるウェブページを訪問しているユーザーに、ウェブページ上において認証情報を提出させる。例えば、ウェブページ１１０のようなウェブページを訪問しているユーザーに、個人アカウント２１０のような、ユーザーの個人アカウントに関連のある認証情報を入力する催促または誘導を提示することができる。認証情報は、ユーザー名、パスワード等を含むことができる。加えて、認証情報は、認証制御部１１２のような、認証制御部に入力することができる。
【００６５】
ブロック４０４において、ブロック４０２で提出した認証情報を、ユーザーの個人アカウントと関連のある認証情報と比較することができる。入力した認証情報が正しい場合、ユーザーの個人アカウントにアクセスするためにそれを用いることができる。例えば、プレゼンテーション・サーバー１０８のようなサーバーが、入力された認証情報を用いて、ユーザーの個人アカウントにアクセスすることができる。
【００６６】
ブロック４０６において、ユーザーを目標とする情報をウェブページ上に提示することができる。一実施態様では、ユーザーを目標とする情報は、ウェブページ上の、プレゼンテーション制御部１１４のような、プレゼンテーション制御部に表示することができる。
【００６７】
ユーザーを目標とする情報は、ユーザーの個人アカウントにおける情報から得ることができる。例えば、ユーザーの個人アカウントと関連のある、サイコグラフィック情報２１４のようなサイコグラフィック情報を用いて、ユーザーに絞り込んだ広告を第三者のウェブサイト上で紹介することができる。例えば、プレゼンテーション・サーバー１０８は、個人アカウント２１０から、ユーザーと関連のあるサイコグラフィック情報２１４にアクセスすることができる。この情報は、ウェブページ１１０上で広告をユーザーに対して絞り込むために用いることができる。実施態様の一例では、ユーザーの個人アカウントにおけるサイコグラフィック情報が、ユーザーが混合武術を専門に扱うサイトに頻繁に訪問していたことを示す場合、プレゼンテーション・モジュールはボクシング用グローブや混合武術のトレーニングにおいて用いられるその他の機器を宣伝する広告を、ウェブページ上のプレゼンテーション制御部に表示することができる。
【００６８】
あるいは、ユーザーを目標とする情報は、ユーザーがユーザーの個人アカウントと関連のある情報と相互作用を行う提案(offer)および／または機会を含むこともできる。例えば、ウェブページにおよび／またはウェブページから個人アカウントにおけるファイルをロードする選択肢をユーザーに与えることができる。同様に、ユーザーには、ウェブページのアドレスを含む、ウェブページ上に提示するエンティティについての連絡先情報を個人アカウントにロードする選択肢を与えることもできる。
【００６９】
更に別の可能な実施態様では、ユーザーに、個人アカウントにおける知人連絡先リストと相互作用する機会を与えることができる。例えば、ユーザーに、知人連絡先リスト上にある知人に、ウェブページを訪問するように招待する機会を与えることができる。加えて、ユーザーに、ウェブサイト上のコンテンツを、知人連絡先リスト上にある一人以上の知人に電子メールで送る機会を与えることもできる。更に、ユーザーに、知人と関連のある所在情報、活動情報、および更新情報を含む、知人連絡先リストと関連のあるあらゆる情報を見る選択肢を与えることもできる。例えば、ユーザーは、知人がウェブページ上の所与の記事を見ていることを確認し、彼を同じ記事に連れていくリンクを素早くクリックすることができるようにしてもよい。このようにそしてどうように、１つ以上のマイクロコミュニティを形成することができる。
【００７０】
ブロック４０８において、第三者のウェブサイト上におけるユーザーの行為に関するデータを収集することができる。例えば、ユーザーが辿ったリンク、ユーザーがダウンロードしたファイル、ウェブサイト上のある記事をユーザーが訪問した時間の長さ等を監視して、収集することができる。加えて、第三者のウェブサイト上で自身の身元を確認した後に、ユーザーが見たその他のウェブページ上における行為も格納することができる。
【００７１】
ブロック４１０において、ブロック４０８で収集した情報を用いて、ユーザーのアカウントと関連のあるサイコグラフィック情報を増強することができる。例えば、ユーザーが第三者のウェブサイト上で彼自身の身元を確認した後におけるユーザーの相互作用に関して収集したデータを、プレゼンテーション・サーバー１１０によってアカウント・ストレージ１１６に送信し、サイコグラフィック情報２１４に格納することができる。
方法例ＩＩ
【００７２】
図５は、ユーザー認証によるアドホック・コミュニティ作成の態様を実現する方法例５００を示す。
【００７３】
ブロック５０２において、ウェブサイト１０４のような、第三者のウェブサイトと関連のあるウェブページ上で、ユーザーに彼自身の身元を確認するさせる。例えば、ウェブページ１１０のようなウェブページを訪問するユーザーに、個人アカウント２１０のような、個人アカウントと関連のある認証情報を入力する催促または誘導を提示することができる。認証情報は、ユーザー名、パスワード等を含むことができる。認証情報は、ユーザーの個人アカウントにアクセスするために用いることができる。
【００７４】
ブロック５０４において、ユーザーの個人アカウントからの情報を、第三者のウェブサイトを通じて、ユーザーに提示することができる。一実施態様では、ユーザーの個人アカウントからの情報は、第三者のウェブサイトと関連のあるウェブページ上において、プレゼンテーション制御部１１４のような、プレゼンテーション制御部の中に表示することができる。
【００７５】
ブロック５０６において、ユーザーに、ユーザーの個人アカウントにおける知人連絡先リストと相互作用する機会を与えることができる。例えば、ユーザーに、知人連絡先リスト上の知人に、ウェブページに訪問するように招待する機会を与えることができる。加えて、ユーザーに、ウェブサイト上のコンテンツを、知人連絡先リスト上の一人以上の知人に電子メールで送る機会を与えることもできる。更に、ユーザーは、知人と関連のある所在情報、活動情報、および更新情報を含む、知人連絡先リストと関連のあるあらゆる情報を見ることもできる。
【００７６】
一実施態様では、ユーザーは、知人がウェブページ上の所与の記事を見ていることを確認し、彼を同じ記事に連れていくリンクを素早くクリックすることができるようにしてもよい。更に別の可能な実施態様では、ユーザーおよび彼の知人はバーのはしごに参加することができる。例えば、知人連絡先リストと関連のある所在情報を見ることによって、ユーザーは彼の知人が、第三者のウェブサイトと関連のあるウェブページ（およびその他のウェブページ）上のどこにいるのか確認することができる。望ましいのであれば、ユーザーは、彼の知人の一人以上が見ているウェブページにアクセスすることができる。更に、ユーザーは、ブログ作成またはインスタント・メッセージングによって、ウェブページ上で彼の知人と相互作用を開始することもできる。同様に、知人は、ユーザーと関連のある所在情報を彼らの知人連絡先リスト上で見ることによって、ユーザーに合流することができる。このように、ユーザーおよび彼の知人は多数のウェブページを跨いで自由にナビゲートし、そのうち互いに合同作業にすることができる。
【００７７】
ブロック５０８において、ユーザーに最も活気のある場所を紹介することができる。これは、他のいずれのウェブページよりも、彼の知人が多く訪問しているウェブページを含むことができる。最も活気のある場所は、認証制御部１１２および／またはプレゼンテーション制御部１１４の中のように、ユーザーが見ているいずれのウェブページにおける別個の欄においてでもユーザーに紹介することができ、あるいは、最も活気のある場所は、ユーザーの知人連絡先リスト上の所在情報における特殊な強調によって示すこともできる。
結論
【００７８】
以上、構造的特徴および／または方法に対して具体的な文言で、ユーザー認証による広告絞り込みおよびアドホック・マイクロコミュニティの作成の実施形態について説明したが、添付する特許請求の範囲の主題は、記載した具体的な特徴や方法に必ずしも限定される訳ではない。むしろ、これら具体的な特徴や方法は、ユーザー認証による広告絞り込みおよびアドホック・マイクロコミュニティの作成の実施態様の例として開示したのである。
【図１】
2010525493.tif 000003
【図２】
2010525493.tif 000004
【図３】
2010525493.tif 000005
【図４】
2010525493.tif 000006
【図５】
2010525493.tif 000007
【国際調査報告】
2010525493.tif 000008
2010525493.tif 000009